(57)【要約】  前もって音響信号の作成や重畳作業、音響信号出力装置の識別情報の再設定といった煩雑な作業を無くし、重畳対象音源の放音時刻が変動した際にも対応可能である音響信号出力システムを提供すること。  音響信号出力装置１と、携帯端末４と、識別情報サーバ５と、を備え、  前記音響信号出力装置１は、出力する識別情報を変更可能な操作手段３と、識別情報を音響信号に変換する変換部１１と、音響信号と放送音源を重畳する重畳部１０と、を備え、  前記携帯端末４は、集音部４１と、集音した重畳音源から音響信号を抽出する抽出部４２と、抽出された音響信号から識別情報を復元する復元部４３と、復元された識別情報を識別情報サーバに送信する識別情報送信部４４と、を備え、  前記識別情報サーバ５は、識別情報とコンテンツを対応させたデータベース部５３と、前記携帯端末から送信された識別情報と対応したコンテンツを導出する照合部５２と、照合部から導出されたコンテンツを前記携帯端末へ送信するコンテンツ送信部５４と、を備えていることを特徴とする。
2014207798.tif 000002
【特許請求の範囲】
【請求項１】
音響信号出力装置と、携帯端末と、識別情報サーバと、を備えた音響信号出力システムであって、
前記音響信号出力装置は、出力する識別情報を変更可能な操作手段と、識別情報を音響信号に変換する変換部と、音響信号と放送音源を重畳する重畳部を備え、
前記携帯端末は、集音部と、集音した重畳音源から音響信号を抽出する抽出部と、抽出された音響信号から識別情報を復元する復元部と、復元された識別情報を識別情報サーバに送信する識別情報送信部を備え、
前記識別情報サーバは、識別情報とコンテンツを対応させたデータベース部と、前記携帯端末から送信された識別情報と対応したコンテンツを導出する照合部と、照合部から導出されたコンテンツを前記携帯端末へ送信するコンテンツ送信部と、
を備えていることを特徴とする音響信号出力システム。
【請求項２】
前記操作手段は、ネットワーク上にある複数の音響信号出力装置を操作可能であることを特徴とする請求項１に記載の音響信号出力システム。
【請求項３】
前記操作手段は、前記識別情報サーバ内の情報を変更可能であることを特徴とする請求項１又は請求項２に記載の音響信号出力システム。
【請求項４】
前記識別情報サーバは、前もって設定した時刻によって前記音響信号出力装置で出力する識別情報の変更をすることが可能な自動切替手段を備えていることを特徴とする請求項１〜３の何れかに記載の音響信号出力システム。
【請求項５】
前記識別情報サーバは、前もって設定した時刻によって前記携帯端末に返送するコンテンツを変更することが可能な自動変更手段を備えていることを特徴とする請求項１〜４の何れかに記載の音響信号出力システム。
【請求項６】
音響信号出力装置であって、
出力する識別情報を変更可能な操作手段と、識別情報を音響信号に変換する変換部と、音響信号及び放送音源を重畳する重畳部を備えることを特徴とする音響信号出力装置。
【請求項７】
前記操作手段は、ネットワーク上にある複数の音響信号出力装置を操作可能であることを特徴とする請求項６に記載の音響信号出力装置。
【請求項８】
前記操作手段は、前記識別情報サーバ内の情報を変更可能であることを特徴とする請求項６又は請求項７に記載の音響信号出力装置。
【発明の詳細な説明】
【技術分野】
【０００１】
本発明は、放送音源に情報を付加して出力する音響信号出力システムに関するものである。
【背景技術】
【０００２】
テレビ放送において、番組の放送にデータ放送を重畳して、文字や音を出力する技術が実用化されている。そのため、テレビ番組を視聴しながら番組表や天気予報を表示出来るようになった。【０００３】
しかし、データ放送では、テレビ画面内での番組表の表示や、視聴中の番組情報を参照する等、付加されたデータの利用がテレビを介したものに留っていた。そして、より詳細な情報を入手するには、携帯端末やコンピュータを用いてインターネットを利用し、検索を行う他なかった。【０００４】
また、撮影を行った場所や、出演者の着ている服など、番組中にごく僅かな時間だけ映し出される対象に関する情報は、データ放送では提供しきれておらず、ドラマ番組のあらすじ等、番組全体を説明する情報が提供されるに留まっていた。【０００５】
そこで特許文献１のように、テレビ番組の放送音源に重畳された識別情報と、データベースに記録された識別情報／放送時間テーブルと、視聴者の携帯端末とを用いて、視聴中の番組に関する細かな情報を携帯端末上で閲覧可能とする発明が公開された。【０００６】
この発明は、音響信号システムに関するものである。製作者側は、対象のＷＥＢページにアクセスするための識別情報を、音響信号に変換してテレビの放送音源に重畳させ、出力する。音響信号は、人間には聞こえない周波数を利用しているため、テレビの放送などに重ね合わせ、出力することが可能である。
ユーザは、携帯端末の集音部とアプリケーションを利用して、放送された重畳音響内から識別情報を抽出・復元してサーバへ送信する。サーバは、送られてきた識別情報に対応したＵＲＬを携帯端末に返送することで、ユーザにそのＵＲＬを提供することが可能である。【０００７】
こうしたインターネット内外どちらか一方から、他方での行動・購買に影響を与えるような政策をＯ２Ｏ（Online to Offline）という。前述の音響を用いた音響信号システムはテレビ放送だけに限ったものではなく、実店舗においても、店内放送用などに備えられたスピーカーから音響信号を出力することでＯ２Ｏが実施されている。特許文献２には、メモリに保存された識別情報を音響信号に変換し、店舗内に放送する音源に重畳して出力する音響信号出力装置に関しての記載がある。
【先行技術文献】
【特許文献】
【０００８】
【特許文献１】特開２０１２−２２７６３１
【特許文献２】特開２０１２−２２７９０９
【発明の概要】
【発明が解決しようとする課題】
【０００９】
音響信号システムを利用することで、テレビ番組内の詳細な情報を視聴者に発信することができ、テレビ画面を見るだけで完結していた視聴者をインターネットサイトに誘導することが可能となった。また、テレフォンショッピングなどで商品を購入したい際には、電話をかけたり、アドレスの入力やキーワード検索をしたりする必要がなくなり、視聴者を購入ウェブページにスムーズに誘導することが可能となった。
また、音響信号出力装置を用いて、電子クーポンやポイントの配布を店頭で行うことが可能となり、実店舗への集客と購買行動分析を一挙に行うことが出来るようになった。【００１０】
しかしながら、音響を用いて情報提供を行う際にもいくつか問題点が挙げられる。【００１１】
まず、前もって識別情報の音響信号化や、重畳作業を行う必要がある点である。前もって識別情報ごとの音響信号や重畳音響を作成し、ＣＤ（Compact Disc）などの記録媒体に記録して使用する必要があるため、長時間の事前準備と作業機材が必要になってしまう。加えて、作成した音響信号・重畳音響の保存や配布といった煩雑な作業が発生する。
また、音響信号出力装置を使用する際には、前もって音響信号出力装置の記憶部に識別情報を記憶させておく必要があり、識別情報を変更する際には、再度記憶部の書き換え設定を行わなくてはならない。【００１２】
次に、番組の放送時間に変動が起こった際、対応する識別情報／放送時間テーブルを変更することが出来ない点である。既存の音響信号システムは、受け取った識別情報に対して返送するコンテンツと、返送するコンテンツの変更を行う時刻と、を対応させた識別情報／放送時間テーブルを持っており、携帯端末から識別情報が送信された時刻をもとに返送するコンテンツを変更することで、単一の識別情報であっても、異なったコンテンツをユーザに配信可能にするものである。テレビ番組のように放送音源の出力時刻に変動の起こらない対象に対しては有効であるが、ライブイベントのように大まかなタイムスケジュールしか決定しておらず、重畳対象の音源の放音時刻に変動が生じる可能性のある場合、既存のシステムでは対応しきれない。時刻を変更する際は、データベース内のコンテンツタイムテーブルを変更したり、識別情報／コンテンツ対応表を書き換える等、複雑な作業が必要となる。【００１３】
本発明は上記のような実状に鑑みてなされたものであり、その目的は、前もって音響信号の作成や重畳作業、音響信号出力装置に出力させる識別情報の再設定、といった煩雑な作業を無くし、重畳対象の音源の放音時刻が変動した際にも対応可能である音響信号出力システムを提供することを課題とする。
【課題を解決するための手段】
【００１４】
上記課題を解決するために、本発明は、音響信号出力装置と、携帯端末と、識別情報サーバと、を備えた音響信号出力システムであって、前記音響信号出力装置は、出力する識別情報を変更可能な操作手段と、識別情報を音響信号に変換する変換部と、音響信号と放送音源を重畳する重畳部を備え、前記携帯端末は、集音部と、集音した重畳音源から音響信号を抽出する抽出部と、抽出された音響信号から識別情報を復元する復元部と、復元された識別情報を識別情報サーバに送信する識別情報送信部を備え、前記識別情報サーバは、識別情報とコンテンツを対応させたデータベース部と、前記携帯端末から送信された識別情報と対応したコンテンツを導出する照合部と、照合部から導出されたコンテンツを前記携帯端末へ送信するコンテンツ送信部と、を備えていることを特徴とする。【００１５】
本発明によれば、音響信号出力装置を備えることで、前もって音響信号を作成・重畳しておく必要がなくなり、操作手段によって操作を行うことで、任意のタイミングで出力する識別情報の変更が可能となる。
そのため、音響信号の事前作成や、音響信号出力装置の設定等の事前準備が必要なくなる。識別情報の変更指示を逐次出すことが出来るため、重畳対象の放音時刻が変動した場合であっても、適切なコンテンツをユーザに提供することが可能となる。【００１６】
本発明の好ましい形態では、前記操作手段は、ネットワーク上にある複数の音響信号出力装置を操作可能であることを特徴とする。
コンビニエンスストアの店内放送のように同一のコンテンツを配信するような場合には、一つの操作手段で複数の音響信号出力装置を操作可能であることで、複数店舗での出力情報の操作を一元的に管理することが可能となる。【００１７】
本発明の好ましい形態では、前記操作手段は、前記識別情報サーバ内の情報を変更可能であることを特徴とする。
操作手段からサーバ内の情報を変更可能であることで、データベース部内の識別情報／コンテンツ対応表の編集等を操作手段上で、システム利用者が全て行うことが出来る。そのため、データベース部などを逐次編集することが可能となり、作業効率が高まる。また、システム利用者がシステム配布者を通して情報の変更を行う必要がなくなり、システム配布者の作業負担が軽減可能となる。【００１８】
本発明の好ましい形態では、前記識別情報サーバは、前もって設定した時刻によって前記音響信号出力装置で出力する識別情報の変更をすることが可能な自動切替手段を備えていることを特徴とする。
自動切替手段を備えていることで、一日おきに出力する識別情報を変更するような場合、変更作業を自動化することができ、操作手段を扱う操作者の負担を軽減することが可能となる。【００１９】
本発明の好ましい形態では、前記識別情報サーバは、前もって設定した時刻によって前記携帯端末に返送するコンテンツを変更することが可能な自動変更手段を備えていることを特徴とする。
自動変更手段を備えていることで、テレビ番組や、タイムセールのクーポンなど、出力する時間が決定されている識別情報に関しては、一つの識別情報であっても時間によって異なるコンテンツへの変更が可能となる。そのため、スケジュール通りに放音を行うことが出来る場合には、逐次識別情報を変更する手間がなくなり、操作手段を扱う操作者の負担を軽減することが可能となる。【００２０】
本発明は、音響信号出力装置であって、出力する識別情報を変更可能な操作手段と、識別情報を音響信号に変換する変換部と、音響信号及び放送音源を重畳する重畳部を備えることを特徴とする。【００２１】
本発明の好ましい形態では、前記操作手段は、ネットワーク上にある複数の音響信号出力装置を操作可能であることを特徴とする。【００２２】
本発明の好ましい形態では、前記操作手段は、前記識別情報サーバ内の情報を変更可能であることを特徴とする。
【発明の効果】
【００２３】
音響信号の作成や音響重畳作業といった事前準備、音響信号出力装置で出力する識別情報の再設定、といった煩雑な作業を無くし、放音時刻が変動した際にも対応可能である音響信号出力システムを提供することを可能とする。
【図面の簡単な説明】
【００２４】
【図１】本発明の実施形態１に係る音響信号出力システムの一構成例を示す図である。
【図２】本発明の実施形態１に係る音響信号出力システムに係る図である。
【図３】本発明の実施形態１に係る音響信号出力装置の一使用例に係る図である。
【図４】本発明の実施形態１に係る識別情報／コンテンツ対応表の構成例を示す図である。
【図５】本発明の実施形態１に係る処理フローチャートである。
【図６】本発明の実施形態２に係る処理フローチャートである。
【図７】本発明の実施形態３に係る処理フローチャートである。
【発明を実施するための形態】
【００２５】
以下に、本発明の実施形態について図１ないし図７を参照して説明する。
＜実施形態１＞
まず、全ての実施形態に対応した、全体の構成例を示し、実施例の説明を行う。
図１は本発明の実施形態１に係る音響信号出力システムの全体構成を示している。１は音響信号出力装置、２は音源入力装置、３は音響信号出力装置の操作手段、４は携帯端末、５は識別情報サーバ、を示している。次いでこれらを説明する。
【００２６】
音響信号出力装置１は、図２（ａ）に示すように、重畳部１０と、変換部１１と、放送する音源を入力するための音源入力部１２と、識別情報入力部１３と、重畳音源を出力する出力部１４と、入力された識別情報を記憶しておく記憶部１５、及び操作手段３を備えている。本実施形態では操作手段３には、音響出力装置操作アプリケーション及びサーバ操作アプリケーションを備えたコンピュータを用いている。
【００２７】
音源入力装置２は、音響信号出力装置１の音源入力部１２と接続されている。ライブイベントなどでミキシング・コンソールがある場合、音源入力装置２からの入力を無くし、ミキシング・コンソールを用いて重畳作業を行ってもよい。
【００２８】
操作手段３は、図１（ａ）に示すように、音響信号出力装置１及び識別情報サーバ５と接続されている。図１（ｂ）に示すように、操作手段３が識別情報サーバ５を通じで間接的に音響信号出力装置１と接続され、操作を行う形態でもよい。
また、図３に示すように、複数の音響信号出力装置１に出力させる識別情報の変更を、１つの操作手段３で行えるようにしてもよい。そうすることで、チェーンストアなど同じ音響信号を複数の場所で出力したい際には、それらを一元的に管理することが可能である。
【００２９】
携帯端末４は、図２（ｂ）に示すように、集音部４１と、重畳音源から音響信号を取り出す抽出部４２と、音響信号を識別情報に復元する復元部４３と、識別情報をサーバ５に送信する識別情報送信部４４と、識別情報サーバ５から送信した識別情報に対応したコンテンツを受信するコンテンツ受信部４５と、コンテンツの実行部４６と、を備えている。
【００３０】
識別情報サーバ５は、図２（ｃ）に示すように、識別情報受信部５１と、照合部５２と、データベース部５３と、コンテンツ送信部５４と、を備えている。データベース部５３には、図４に示すような識別情報／コンテンツ対応表が記録されており、この表と送られてきた識別情報をコンテンツ照合部５２で照合することで、適切なコンテンツを出力することが可能となる。また、データベース部５３は操作手段３と接続されており、識別情報／コンテンツ対応表の編集などを行うことが可能である。
識別情報サーバには、識別情報に対して出力するコンテンツを時刻によって変更可能な自動変更手段を備えていることが操作手段の操作者の作業を軽減するために好ましい。
【００３１】
次に図１、図２及び図５を参照しながら、本実施形態における音響情報出力システム実施者側と利用者側との情報のやり取りについて説明する。
【００３２】
音響信号出力システム実施者には、識別情報サーバ５を操作するためのＩＤが付与される（Ｓ１）。サーバ操作アプリケーションを備えた操作手段３を用いて、識別情報サーバ５へログインし（Ｓ２）、データベース部５３上の識別情報／コンテンツ対応表を作成する（Ｓ３）。
【００３３】
識別情報／コンテンツ対応表の作成が完了したら、音響信号出力装置１から出力する識別情報／コンテンツを選択し、出力を行う（Ｓ４）。操作手段３によって選択された識別情報は識別情報入力部１３から入力された後、記憶部１５に記憶され、変換部１１によって音響信号へと変換される。変換された音響信号及び音源入力部１２から入力された放送音源は、重畳部１０で１つの音響に重ね合わせられた重畳音源となり、出力部１４によって出力される。出力された重畳音源は、店舗のスピーカー等で流される。
【００３４】
一方、音響信号出力システム利用者は、インターネット上からアプリケーションを取得し（Ｓ５）、携帯端末上にインストールしておく。このアプリケーションには、携帯端末４の集音部４１を用いて、重畳された音源から音響信号のみを取り出す抽出部４２と、取り出した音響信号をもとの識別情報に戻す復元部４３と、元に戻した識別情報を識別情報サーバ５へ送信する識別情報送信部４４が備わっている。更に、識別情報送信部４４から送信した識別情報に応じて、識別情報サーバ５から送られてくるＵＲＬ等のコンテンツを受信するコンテンツ受信部４５と、そのコンテンツを利用するための実行部４６を備えている。
【００３５】
利用者は、音響信号出力システム実施店等に行くことで、音響信号出力システムを利用することが可能となる。まず、アプリケーションを起動し（Ｓ６）、放送される重畳音源を集音する（Ｓ７）。そして、識別情報のみを抽出し（Ｓ８）、識別情報サーバ５へ送信する。
【００３６】
識別情報サーバ５では、携帯端末３から送信された識別情報を識別情報受信部５１で受信する。そして、送られた識別情報を照合部５２に送り、データベース部５３内の識別情報／コンテンツ対応表と照合し（Ｓ９）、対応したコンテンツをコンテンツ送信部５４から携帯端末４へ返す。
【００３７】
携帯端末４は、コンテンツ受信部４５を用いて識別情報サーバ５から送られてきたコンテンツを受信する。受信したコンテンツを実行部４６へ送ることでコンテンツを利用することが出来る（Ｓ１０）。
【００３８】
実施者は識別情報サーバへ自由にログインしてデータベースの編集を行い、出力させたい識別情報を自由に選ぶことができるため、システムの迅速な導入と運用が可能になる。
また、本システムを提供する側も識別情報の情報音源化といった事前準備や、それらを保存しておく必要などがなくなり、負担が軽減される。提供時には、音響信号出力装置とサーバへのアクセスＩＤの配布を行うのみで、少ない労力でシステムの提供・運営を行うことが可能である。
識別情報を利用するのではなく、ＵＲＬの文字列を直接音響信号に変換して出力してもよい。そうすることでデータベースからコンテンツを返送する必要がなくなり、携帯端末上でＵＲＬを復元し、目的の情報へアクセスすることが可能となる。
美術館など、放送音響を出力させたくない際は、放送音源を重畳せず音響情報のみを出力してもよい。
【００３９】
＜実施形態２＞
図１、図２、図４及び図６を参照しながら本発明の実施形態２について説明する。なお、本説明で上述した実施形態１と基本的に同一の構成要素については、同一の符号を付してその説明を簡略化する。
【００４０】
本実施形態は、出力するコンテンツの変更を、識別情報の変更と、返送コンテンツの変更との二通りで行う例を示す。システムの全体構成は、実施形態１と同様である。
【００４１】
店舗に設置された音響信号出力装置１を操作可能な操作手段３を用いて、識別情報サーバ５へログインする（Ｓ１１）。店舗に雨が降っているか否かを確認する（Ｓ１２）。
【００４２】
店舗に雨が降っている場合（Ｓ１２でＹ）、音響信号出力装置１の出力する識別情報を変更し、データベース部５３を操作して、図４（ｂ）の識別情報０００２のような雨の日用のクーポンを出力するよう設定する（Ｓ１３）。店舗に雨が降っていない場合は（Ｓ１２でＮ）、図４（ｂ）の識別情報０００１のような通常時のクーポンの配布を行う（Ｓ１４）。そして、決定した識別情報を音響信号出力装置１から出力させる（Ｓ１５）。Ｓ１５は実施形態１のＳ４と対応している。
【００４３】
さらに、タイムセールの時間か否かはコンピュータによって判断される（Ｓ１６）。図４（ｂ）のように、タイムセールの時間である１７時になると（Ｓ１６でＹ）、識別情報サーバ５の自動変更手段によって、携帯端末から送られた識別情報０００１・０００２に対してのタイムセール用クーポンを返送する（Ｓ１７）。
【００４４】
実施形態２では、出力する識別情報の変更を自動と手動の２通りで行った。タイムセールなど前もって発生時間が決定可能な事象に対しては、従来の時刻による返送コンテンツの変更を行えばよい。しかし、天気など、発生時間が前もって決定できない事象に対しては、従来の時間による識別情報の変更では対応しきれていなかった。
そのため、出力する識別信号の変更が可能な操作手段３を有することで、本実施形態のように突発的事象に対応した識別情報の手動変更が可能となる。実施店舗がチェーン店の場合、図３のように複数の音響信号出力装置を本部の操作手段１つで操作出来るようにしてもよい。
【００４５】
＜実施形態３＞
図１、図２、及び図７を参照しながら本発明の実施形態３について説明する。なお、本実施形態において、上述した実施形態１及び実施形態２と基本的に同一の構成要素については、同一の符号を付してその説明を簡略化する。
【００４６】
本実施形態は、手動で識別情報の変更を行う例を示す。システムの全体構成は、実施形態１と同様である。
【００４７】
ライブ会場でのライブ音源と音響信号を、音響信号出力装置１を用いて重畳する。ライブ出演者の出演時間や、イベントの開場時間などは変動し易く、時刻による自動変更手段では返送コンテンツの提供タイミングにずれが生じる場合がある。そのため、出力する識別情報を手動で変更する必要がある。
【００４８】
まず、識別情報サーバ５にログインし（Ｓ２１）、データベースを設定して（Ｓ２２）出力する識別情報を決定する。識別情報の出力指示を行うことで、音響信号出力装置１の記憶部１５に選択した識別情報が記憶される（Ｓ２３）。そして、記憶部１５に保存された識別情報を、音響信号に変え、ライブ音源と重畳して出力する（Ｓ２４）。
【００４９】
ライブの出演者変わったタイミングで、音響信号出力装置１の操作者は、出力する識別情報の変更指示を、操作手段３を用いて行う（Ｓ２５）。変更指示があった場合（Ｓ２５でＹ）、変更後の識別情報を音響信号出力装置１の記憶部１５に送信し、出力させる。出演者が入れ替わるごとに識別情報を変更することで、出演者と対応したコンテンツを利用者に対して配信することが可能となる。
【００５０】
実施形態３では、ライブなど時間の変動がある場合、識別情報の変更を手動で行う場合を説明した。これまでの時刻による変更方法では、データベース部の返送コンテンツを直接書き換えたり、コンテンツタイムテーブルの時間を逐次変更する他なかった。しかし本発明を利用することで、データベース部の書き換えといった複雑な作業をすることなく、識別情報の切り替え指示を出すだけで識別情報のライブ変更が可能となる。
本実施形態では、出力する識別情報を音響信号出力装置の記憶部に保存し、出力させる手法をとったが、複数の識別情報を記憶し、テレビのリモコンのようなスイッチ等を用いて、識別情報サーバを通さずに変更できるようにしてもよい。
【産業上の利用可能性】
【００５１】
本発明を利用することで、実店舗での集客コンテンツの配布、ライブ会場でのミュージシャン・曲の情報提供、といったように景観や雰囲気を壊すことなく、目に見えない形でコンテンツの配布を行うことが可能となる。
【符号の説明】
【００５２】
１  音響信号出力装置
１０  重畳部
１１  変換部
１２  音源入力部
１３  識別情報入力部
１４  出力部
１５  記憶部
２  音源入力装置
３  操作手段
４  携帯端末
４１  集音部
４２  抽出部
４３  復元部
４４  識別情報送信部
４５  コンテンツ受信部
４６  実行部
５  識別情報サーバ
５１  識別情報受信部
５２  照合部
５３  データベース部
５４  コンテンツ送信部
【図１】
2014207798.tif 000003
【図２】
2014207798.tif 000004
【図３】
2014207798.tif 000005
【図４】
2014207798.tif 000006
【図５】
2014207798.tif 000007
【図６】
2014207798.tif 000008
【図７】
2014207798.tif 000009
【国際調査報告】
2014207798.tif 000010
2014207798.tif 000011
2014207798.tif 000012
2014207798.tif 000013